(57)【要約】      （修正有）【課題】照射野の輪郭の精細化を図る遮蔽装置、照射装置、および照射方法を提供する。【解決手段】遮蔽装置は、第１の遮蔽部１０と第２の遮蔽部２０で構成され、前記第１の遮蔽部１０は、複数の第１の遮蔽板１１aと、前記第１の遮蔽板１１aの端面の位置を前記第１の遮蔽板１１aが延びる方向に移動させる複数の第１の移動部１１bと、前記第１の遮蔽板１１aのそれぞれの端面と対峙する端面を有する複数の第２の遮蔽板１２aと、前記第２の遮蔽板１２aのそれぞれの端面の位置を前記第１の遮蔽板１１aが延びる方向に移動させる複数の第２の移動部１２bとを有する。さらに、前記第１の遮蔽板１１aのピッチ寸法の整数分の１の幅寸法を有するスリット２１aが複数設けられた遮蔽体と、前記第１の遮蔽板１１aが延びる方向と直交する方向に前記遮蔽体を移動させる第３の移動部２２と、を有する。【選択図】図２
2015059889.tif 000002
【特許請求の範囲】
【請求項１】
第１の遮蔽部と、
前記第１の遮蔽部の少なくとも一方の側に設けられた第２の遮蔽部と、
を備え、
前記第１の遮蔽部は、
複数の第１の遮蔽板と、
前記複数の第１の遮蔽板のそれぞれの端面の位置を、前記第１の遮蔽板が延びる方向にそれぞれ移動させる複数の第１の移動部と、
前記複数の第１の遮蔽板のそれぞれの端面と、それぞれが対峙する端面を有する複数の第２の遮蔽板と、
前記複数の第２の遮蔽板のそれぞれの端面の位置を、前記第１の遮蔽板が延びる方向にそれぞれ移動させる複数の第２の移動部と、
を有し、
前記第２の遮蔽部は、
前記第１の遮蔽板が延びる方向に延び、前記複数の第１の遮蔽板のピッチ寸法の整数分の１の幅寸法を有するスリットが複数設けられた遮蔽体と、
前記第１の遮蔽板が延びる方向と直交する方向に前記遮蔽体を移動させる第３の移動部と、
を有する遮蔽装置。
【請求項２】
前記複数のスリットのピッチ寸法は、前記複数の第１の遮蔽板のピッチ寸法と等しい請求項１記載の遮蔽装置。
【請求項３】
請求項１または２に記載の遮蔽装置と、
前記遮蔽装置に向けて放射線を照射する照射部と、
を備えた照射装置。
【請求項４】
請求項３記載の照射装置を用いた照射方法であって、
放射線の照射を複数回行うとともに、前記複数回の放射線の照射のたびに、第１の遮蔽板が延びる方向と直交する方向に遮蔽体をスリットの幅寸法分移動させる照射方法。
【請求項５】
前記複数回の放射線の照射のたびに縞状の照射野が形成される請求項４記載の照射方法。
【発明の詳細な説明】
【技術分野】
【０００１】
後述する実施形態は、概ね、遮蔽装置、照射装置、および照射方法に関する。
【背景技術】
【０００２】
Ｘ線、γ線、陽子線、重粒子線などの放射線を照射する照射装置がある。  
この様な照射装置においては、放射線の照射野が制限されるとともに、放射線の照射野の輪郭が変更される場合がある。  
例えば、放射線治療においては、人体の正常な細胞に放射線が照射されないようにするために放射線の照射野が制限される。そして、放射線の照射対象である治療部位の形状に合わせて放射線の照射野の輪郭が変更される。  
放射線の照射野の制限と、照射野の輪郭の変更を行うものとしてマルチリーフコリメータが提案されている。  
マルチリーフコリメータは、互いに対峙して設けられた一対の遮蔽板（リーフ）を複数組備えている。そして、複数の遮蔽板のそれぞれの位置を変化させることで、所望の照射野が形成されるようにしている。  
放射線の照射野の輪郭を治療部位の形状に正確に合わせるためには、遮蔽板の厚みを薄くするとともに、遮蔽板の数を増やすようにすればよい。  
しかしながら、厚みが薄く、且つ、高い寸法精度を有する遮蔽板を製造するのは困難である。  
また、マルチリーフコリメータの構造の複雑化や高コスト化を招くことにもなる。
【先行技術文献】
【特許文献】
【０００３】
【特許文献１】特表２００１−５０９８９８号公報
【発明の概要】
【発明が解決しようとする課題】
【０００４】
本発明が解決しようとする課題は、照射野の輪郭の精細化を図ることができる遮蔽装置、照射装置、および照射方法を提供することである。
【課題を解決するための手段】
【０００５】
実施形態に係る遮蔽装置は、第１の遮蔽部と、前記第１の遮蔽部の少なくとも一方の側に設けられた第２の遮蔽部と、を備えている。  
そして、前記第１の遮蔽部は、複数の第１の遮蔽板と、前記複数の第１の遮蔽板のそれぞれの端面の位置を、前記第１の遮蔽板が延びる方向にそれぞれ移動させる複数の第１の移動部と、前記複数の第１の遮蔽板のそれぞれの端面と、それぞれが対峙する端面を有する複数の第２の遮蔽板と、前記複数の第２の遮蔽板のそれぞれの端面の位置を、前記第１の遮蔽板が延びる方向にそれぞれ移動させる複数の第２の移動部と、を有している。  
また、前記第２の遮蔽部は、前記第１の遮蔽板が延びる方向に延び、前記複数の第１の遮蔽板のピッチ寸法の整数分の１の幅寸法を有するスリットが複数設けられた遮蔽体と、前記第１の遮蔽板が延びる方向と直交する方向に前記遮蔽体を移動させる第３の移動部と、を有している。
【図面の簡単な説明】
【０００６】
【図１】照射装置１００の概略構成を例示するための模式ブロック図である。
【図２】遮蔽装置１を例示するための模式斜視図である。
【図３】（ａ）〜（ｃ）は、遮蔽装置１の作用を例示するための模式図である。
【図４】（ａ）、（ｂ）は、遮蔽装置１の作用を例示するための模式図である。
【図５】（ａ）は、比較例に係る照射野１１１の輪郭を例示するための模式図である。（ｂ）は、本実施の形態に係る遮蔽装置１により形成された照射野１０１の輪郭を例示するための模式図である。
【図６】（ａ）は、他の実施形態に係る第２の遮蔽部３０を例示するための模式図である。（ｂ）は、形成される照射野を例示するための模式図である。
【発明を実施するための形態】
【０００７】
以下、図面を参照しつつ、実施の形態について例示をする。なお、各図面中、同様の構成要素には同一の符号を付して詳細な説明は適宜省略する。  
まず、本実施の形態に係る遮蔽装置１および照射装置１００について例示をする。  
図１は、照射装置１００の概略構成を例示するための模式ブロック図である。  
図２は、遮蔽装置１を例示するための模式斜視図である。  
図１に示すように、照射装置１００には、照射部２、筐体３、載置部４、制御部５、および遮蔽装置１が設けられている。
【０００８】
照射部２は、遮蔽装置１に向けて放射線２ａを照射する。  
照射部２は、例えば、電子加速器や対電子線ターゲットなどを有するものとすることができる。  
照射部２は、電子加速器により加速させた電子を対電子線ターゲットに衝突させることで放射線２ａを発生させる。  
発生する放射線２ａは、例えば、光子線（例えば、Ｘ線、γ線など）、電子線、重粒子線（例えば、陽子線、ヘリウムイオン線、炭素イオン線、ネオンイオン線、π中間子線、中性子線など）などである。  
照射部２により発生した放射線２ａは、遮蔽装置１を介して被検体３００に照射される。
【０００９】
筐体３は、照射部２および遮蔽装置１を収納する。  
また、筐体３には、図示しない回転装置などを設けることができる。  
図示しない回転装置を設けるようにすれば、例えば、筐体３が載置部４の周りを回転することができるようになる。
【００１０】
そのため、照射部２および遮蔽装置１が、載置部４の周りを回転することができるようになるので、各種の照射態様に対応することが可能となる。  
例えば、放射線２ａの固定照射、放射線２ａの回転照射、放射線２ａの振り子照射、放射線２ａの間欠照射などを行うことが可能となる。
【００１１】
載置部４は、照射部２と対峙している。  
載置部４は、照射部２からの放射線２ａが照射される側に設けられている。  
載置部４は、被検体３００を載置する。  
載置部４には、例えば、図示しない昇降装置、旋回装置、および、前後左右方向に移動させる移動装置などを設けることができる。図示しない昇降装置、旋回装置、および移動装置などを設けるものとすれば、被検体３００の位置、ひいては放射線２ａが照射される位置を任意に変更することができる。
【００１２】
制御部５は、照射装置１００に設けられる各要素の動作を制御する。  
制御部５は、例えば、照射部２を制御して、放射線２ａの照射や放射線２ａの照射の停止などを行わせる。  
制御部５は、例えば、筐体３に設けられた図示しない回転装置などを制御して、各種の照射態様に応じた放射線２ａの照射を行わせる。
【００１３】
制御部５は、例えば、載置部４に設けられた図示しない昇降装置、旋回装置、および移動装置などを制御して、放射線２ａが照射される位置を変更する。  
制御部５は、例えば、後述する第１の遮蔽部１０に設けられた移動部１１ｂ（第１の移動部の一例に相当する）および移動部１２ｂ（第２の移動部の一例に相当する）、および、後述する第２の遮蔽部２０に設けられた移動部２２（第３の移動部の一例に相当する）を制御して、所望の輪郭と大きさを有する照射野１０１を形成する。
【００１４】
図２に示すように、遮蔽装置１には、第１の遮蔽部１０および第２の遮蔽部２０が設けられている。  
第１の遮蔽部１０および第２の遮蔽部２０は、照射部２と載置部４の間に設けられている。
第１の遮蔽部１０および第２の遮蔽部２０は、放射線２ａの照射範囲に設けられている。
第１の遮蔽部１０および第２の遮蔽部２０は、協働して、放射線２ａの照射対象である治療部位の形状と大きさに適合した照射野１０１を形成する。
【００１５】
第１の遮蔽部１０には、遮蔽板１１ａ(第１の遮蔽板の一例に相当する)、移動部１１ｂ、遮蔽板１２ａ(第２の遮蔽板の一例に相当する)、および移動部１２ｂが設けられている。
第１の遮蔽部１０は、例えば、マルチリーフコリメータとすることができる。
【００１６】
遮蔽板１１ａおよび遮蔽板１２ａは、板状を呈している。遮蔽板１１ａの厚み寸法は、遮蔽板１２ａの厚み寸法と同じとなっている。  
遮蔽板１１ａおよび遮蔽板１２ａは、放射線２ａの中心軸２ｂを挟んで対峙している。  一対の遮蔽板１１ａおよび遮蔽板１２ａは、一方の端面を互いに対峙させて設けられている。
【００１７】
遮蔽板１１ａおよび遮蔽板１２ａは、放射線２ａの中心軸２ｂと直交する方向に互いに近接または密着させて複数組設けられている。  
遮蔽板１１ａおよび遮蔽板１２ａは、密度の高い金属から形成することができる。遮蔽板１１ａおよび遮蔽板１２ａは、例えば、鉄、モリブデン、タングステンなどから形成することができる。
【００１８】
移動部１１ｂは、複数設けられ、複数の遮蔽板１１ａのそれぞれに接続されている。  
移動部１１ｂは、対峙する遮蔽板１２ａから離れる方向、または、対峙する遮蔽板１２ａに近づく方向に遮蔽板１１ａを移動させる。  
例えば、移動部１１ｂは、複数の遮蔽板１１ａのそれぞれの端面の位置を、遮蔽板１１ａ（遮蔽板１２ａ）が延びる方向にそれぞれ移動させる。  
移動部１２ｂは、複数設けられ、複数の遮蔽板１２ａのそれぞれに接続されている。  
移動部１２ｂは、対峙する遮蔽板１１ａから離れる方向、または、対峙する遮蔽板１１ａに近づく方向に遮蔽板１２ａを移動させる。  
例えば、移動部１２ｂは、複数の遮蔽板１２ａのそれぞれの端面の位置を、遮蔽板１１ａ（遮蔽板１２ａ）が延びる方向にそれぞれ移動させる。
【００１９】
照射部２から照射された放射線２ａは、複数の遮蔽板１１ａの端面と複数の遮蔽板１２ａの端面との間に形成された空間を通過する。  
移動部１１ｂおよび移動部１２ｂは、例えば、サーボモータなどの制御モータを有するものとすることができる。
【００２０】
また、第１の遮蔽部１０には、複数の遮蔽板１１ａおよび複数の遮蔽板１２ａのそれぞれの位置を検出する図示しない検出器を設けることができる。  
図示しない検出器は、例えば、レーザセンサなどの光学的な検出器などとすることができる。  
この場合、制御部５は、図示しない検出器からの位置情報に基づいて、移動部１１ｂおよび移動部１２ｂを制御して、遮蔽板１１ａおよび遮蔽板１２ａの位置を制御する。
【００２１】
ここで、第１の遮蔽部１０のみでも照射野を形成することができる。  
すなわち、複数の遮蔽板１１ａのそれぞれ、および複数の遮蔽板１２ａのそれぞれを相互に近接または離隔させて、複数の遮蔽板１１ａと複数の遮蔽板１２ａとの間に空間を形成すれば、照射野を形成することができる。  
ところが、形成された照射野の輪郭は、遮蔽板１１ａの厚み寸法（遮蔽板１２ａの厚み寸法）に依存する。  
すなわち、遮蔽板１１ａおよび遮蔽板１２ａの厚みが厚くなると、形成された照射野の輪郭が粗くなる。
【００２２】
正常組織にダメージを与えないようにするためには、治療部位にのみ放射線２ａを集中的に照射できるようにすることが好ましい。  
照射野の輪郭が粗くなると、照射野の周縁近傍にある正常組織に放射線２ａが照射されるおそれがある。  
そのため、精細な輪郭を有する照射野が形成されるようにすることが好ましい。
【００２３】
この場合、遮蔽板１１ａおよび遮蔽板１２ａの厚みを薄くするとともに、遮蔽板１１ａおよび遮蔽板１２ａの数を増やせば、精細な輪郭を有する照射野を形成することができる。
しかしながら、厚みが薄く、且つ、高い寸法精度を有する遮蔽板１１ａおよび遮蔽板１２ａを製造するのは困難である。  
また、遮蔽板１１ａおよび遮蔽板１２ａの数を増やせば、移動部１１ｂおよび移動部１２ｂの数も増やす必要がある。  
そのため、第１の遮蔽部１０の構造の複雑化や高コスト化を招くことにもなる。
【００２４】
そこで、本実施の形態に係る遮蔽装置１においては、第２の遮蔽部２０を設けることで、照射野１０１の輪郭の精細化を図るようにしている。  
第２の遮蔽部２０は、照射部２と第１の遮蔽部１０との間に設けられている。  
なお、第２の遮蔽部２０は、載置部４と第１の遮蔽部１０との間に設けられていてもよい。  
また、２つの第２の遮蔽部２０を設け、１つの第２の遮蔽部２０が照射部２と第１の遮蔽部１０との間に設けられ、１つの第２の遮蔽部２０が載置部４と第１の遮蔽部１０との間に設けられていてもよい。  
また、複数の第２の遮蔽部２０が積み重なるようにして設けられていてもよい。  
すなわち、第２の遮蔽部２０は、第１の遮蔽部１０の少なくとも一方の側に設けられていればよい。
【００２５】
第２の遮蔽部２０には、遮蔽体２１および移動部２２が設けられている。  
遮蔽体２１は、板状を呈し、複数のスリット２１ａが設けられている。  
スリット２１ａは、遮蔽板１１ａ（遮蔽板１２ａ）が延びる方向に延びている。  
スリット２１ａの断面形状には特に限定はないが、例えば、長方形とすることができる。
【００２６】
スリット２１ａは、遮蔽体２１を厚み方向に貫通している。  
複数のスリット２１ａは、所定の間隔をあけて並べて設けられている。  
複数のスリット２１ａが並ぶ方向は、複数の遮蔽板１１ａ（遮蔽板１２ａ）が並ぶ方向と同じとなっている。
【００２７】
照射部２から照射された放射線は、複数のスリット２１ａのそれぞれを通過して載置部４側に照射される。  
一方、複数のスリット２１ａ同士の間に照射された放射線２ａは、遮蔽体２１により通過が阻まれる。
【００２８】
後述するように、本実施の形態に係る照射装置１００においては、治療部位に対して複数回に分けて放射線２ａを照射する。  
放射線２ａの照射回数をｎ（ｎは正の整数）、遮蔽板１１ａ（遮蔽板１２ａ）のピッチ寸法をＰ１とすれば、スリット２１ａの幅寸法ＷはＰ１／ｎとすることができる。  
また、スリット２１ａのピッチ寸法Ｐ２は、Ｐ１とすることができる。  
また、複数のスリット２１ａ同士の間の寸法Ｌは、（ｎ−１）Ｐ１／ｎとすることができる。
【００２９】
遮蔽体２１は、密度の高い金属から形成することができる。遮蔽体２１は、例えば、鉄、モリブデン、タングステンなどから形成することができる。  
この場合、遮蔽体２１は、遮蔽板１１ａおよび遮蔽板１２ａの材料と同じ材料から形成することもできるし、遮蔽板１１ａおよび遮蔽板１２ａの材料と異なる材料から形成することもできる。
【００３０】
移動部２２は、遮蔽体２１に接続されている。  
移動部２２は、スリット２１ａが延びる方向と直交する方向、すなわち、遮蔽板１１ａ（遮蔽板１２ａ）が延びる方向と直交する方向に遮蔽体２１を移動させる。  
移動部２２は、例えば、サーボモータなどの制御モータを有するものとすることができる。
【００３１】
また、第２の遮蔽部２０には、遮蔽体２１の位置を検出する図示しない検出器を設けることができる。  
図示しない検出器は、例えば、レーザセンサなどの光学的な検出器などとすることができる。  
この場合、制御部５は、図示しない検出器からの位置情報に基づいて、移動部２２を制御して、遮蔽体２１の位置を制御する。
【００３２】
次に、遮蔽装置１および照射装置１００の作用とともに、本実施の形態に係る照射方法について例示をする。  
照射装置１００においては、治療部位に対して複数回に分けて放射線２ａを照射する。  以下においては、一例として、治療部位に対して２回に分けて放射線２ａを照射する場合を例示する。
【００３３】
図３（ａ）〜（ｃ）、図４（ａ）、（ｂ）は、遮蔽装置１の作用を例示するための模式図である。
図３（ａ）は、遮蔽体２１のスリット２１ａと、遮蔽板１１ａおよび遮蔽板１２ａとの関係を例示するための模式図である。
【００３４】
放射線２ａの照射回数を２回としているため、スリット２１ａの幅寸法ＷはＰ１／２となる。  
また、スリット２１ａのピッチ寸法Ｐ２は、Ｐ１である。  
また、複数のスリット２１ａ同士の間の寸法Ｌは、Ｐ１／２となる。  
なお、前述したようにＰ１は、遮蔽板１１ａ（遮蔽板１２ａ）のピッチ寸法である。
【００３５】
まず、図３（ｂ）に示すように、複数の遮蔽板１１ａの端面の位置および複数の遮蔽板１２ａの端面の位置をそれぞれ移動させる。  
なお、複数の遮蔽板１１ａの端面の位置および複数の遮蔽板１２ａの端面の位置は、Ｘ線撮像装置などにより得られた治療部位に関するデータに基づいて設定される。
【００３６】
次に、照射部２から放射線２ａを照射して、第１回目の放射線２ａの照射を行う。  
照射部２から照射された放射線２ａのうち、複数のスリット２１ａに入射した放射線２ａは、複数のスリット２１ａのそれぞれを通過して、第１の遮蔽部１０に入射する。  
一方、照射部２から照射された放射線２ａのうち、複数のスリット２１ａ同士の間に入射した放射線２ａは、第２の遮蔽部２０を通過することができず、第１の遮蔽部１０には入射しない。
【００３７】
第１の遮蔽部１０に入射した放射線２ａのうち、複数の遮蔽板１１ａの端面と複数の遮蔽板１２ａの端面との間に形成された空間に入射した放射線２ａは、第１の遮蔽部１０を通過する。  
一方、第１の遮蔽部１０に入射した放射線２ａのうち、複数の遮蔽板１１ａおよび複数の遮蔽板１２ａに入射した放射線２ａは、第１の遮蔽部１０を通過することができない。
【００３８】
その結果、図３（ｃ）に示すように、縞状の照射野１０１ａが形成されることになる。  すなわち、第１回目の放射線２ａの照射の際に、第１の遮蔽部１０および第２の遮蔽部２０は、協働して照射野１０１ａを形成する。
【００３９】
次に、図４（ａ）に示すように、複数のスリット２１ａが並ぶ方向に遮蔽体２１をスリット２１ａの幅寸法Ｗ（Ｐ１／２）分だけ移動させる。  
すると、平面視において、複数のスリット２１ａ同士の間に縞状の照射野１０１ａが重なる。
【００４０】
次に、図４（ｂ）に示すように、複数の遮蔽板１１ａの端面の位置、および複数の遮蔽板１２ａの端面の位置をそれぞれ移動させる。  
なお、複数の遮蔽板１１ａの端面の位置および複数の遮蔽板１２ａの端面の位置は、Ｘ線撮像装置などにより得られた治療部位に関するデータに基づいて設定される。  
次に、照射部２から放射線２ａを照射して、第２回目の放射線２ａの照射を行う。
【００４１】
照射部２から照射された放射線２ａのうち、複数のスリット２１ａに入射した放射線２ａは、複数のスリット２１ａのそれぞれを通過して、第１の遮蔽部１０に入射する。  
一方、照射部２から照射された放射線２ａのうち、複数のスリット２１ａ同士の間に入射した放射線２ａは、第２の遮蔽部２０を通過することができず、第１の遮蔽部１０には入射しない。
【００４２】
第１の遮蔽部１０に入射した放射線２ａのうち、複数の遮蔽板１１ａの端面と複数の遮蔽板１２ａの端面との間に形成された空間に入射した放射線２ａは、第１の遮蔽部１０を通過する。  
一方、第１の遮蔽部１０に入射した放射線２ａのうち、複数の遮蔽板１１ａおよび複数の遮蔽板１２ａに入射した放射線２ａは、第１の遮蔽部１０を通過することができない。
【００４３】
その結果、図４（ｂ）に示すように、縞状の照射野１０１ｂが形成されることになる。  すなわち、第２回目の放射線２ａの照射の際に、第１の遮蔽部１０および第２の遮蔽部２０は、協働して照射野１０１ｂを形成する。
【００４４】
この際、平面視において、複数のスリット２１ａ同士の間に縞状の照射野１０１ａが重なっているので、縞状の照射野１０１ａに放射線２ａが照射されるのを抑制することができる。  
この場合、照射野１０１ａと照射野１０１ｂとを合わせた領域が、照射野１０１となる。
【００４５】
なお、以上は、照射部２と第１の遮蔽部１０との間に第２の遮蔽部２０が設けられた場合であるが、載置部４と第１の遮蔽部１０との間に第２の遮蔽部２０が設けられた場合も同様とすることができる。
【００４６】
また、遮蔽体２１を移動させた後に、複数の遮蔽板１１ａの端面の位置、および複数の遮蔽板１２ａの端面の位置をそれぞれ移動させる場合を例示した。しかしながら、複数の遮蔽板１１ａの端面の位置、および複数の遮蔽板１２ａの端面の位置をそれぞれ移動させた後に、遮蔽体２１を移動させてもよい。
【００４７】
図５（ａ）は、比較例に係る照射野１１１の輪郭を例示するための模式図である。  
図５（ａ）は、第２の遮蔽部２０が設けられていない場合、すなわち、第１の遮蔽部１０のみにより形成された照射野１１１の輪郭を例示するための模式図である。  
図５（ａ）に示すように、第１の遮蔽部１０のみにより照射野１１１を形成すると、照射野１１１の輪郭は、遮蔽板１１ａ（遮蔽板１２ａ）の厚み寸法Ｔに依存する。  
そのため、照射野１１１の輪郭が粗くなる。
【００４８】
図５（ｂ）は、本実施の形態に係る遮蔽装置１により形成された照射野１０１の輪郭を例示するための模式図である。  
すなわち、前述したように２回に分けて放射線２ａを照射した場合の照射野１０１の輪郭を例示するための模式図である。  
第２の遮蔽部２０を設けるようにすれば、複数回に分けて放射線２ａを照射することができる。  
そして、複数回の放射線２ａの照射のたびに、複数の遮蔽板１１ａの端面の位置、および複数の遮蔽板１２ａの端面の位置をそれぞれ移動させることができる。  
そのため、図５（ｂ）に示すように、照射野１０１の輪郭の精細化を図ることができる。
また、放射線２ａが一度照射された縞状の照射野１０１ａに再度放射線２ａが照射されるのを抑制することができる。
【００４９】
すなわち、本実施の形態に係る照射方法は、放射線２ａの照射を複数回行う。そして、複数回の放射線２ａの照射のたびに、遮蔽板１１ａ（遮蔽板１２ａ）が延びる方向と直交する方向に遮蔽体２１をスリットの幅寸法Ｗ分移動させる。  
また、複数回の放射線２ａの照射のたびに縞状の照射野が形成される。
【００５０】
図６（ａ）は、他の実施形態に係る第２の遮蔽部３０を例示するための模式図である。  図６（ｂ）は、形成される照射野を例示するための模式図である。  
図６（ａ）に示すように、第２の遮蔽部３０には、遮蔽体３１および移動部２２が設けられている。  
遮蔽体３１は、板状を呈し、複数のスリット３１ａが設けられている。  
前述したスリット２１ａは断面寸法が一定であったが、スリット３１ａは一方の端面に近づくに従い断面寸法が漸減している。  
すなわち、スリット３１ａはテーパ状の形態を有している。  
この様な形態を有するスリット３１ａとすれば、複数回に分けて放射線２ａを照射した際に、照射野１２１ａ、１２１ｂ同士の境界における放射線量を調整することができる。
【００５１】
また、照射部２の構成によっては、照射部２がほぼ点状と見なせる放射線源となる場合がある。  
この様な場合には、複数の遮蔽板１１ａの側面のそれぞれを含むそれぞれの平面内に放射線源の焦点が存在するようにする。  
また、複数の遮蔽板１２ａの側面のそれぞれを含むそれぞれの平面内に放射線源の焦点が存在するようにする。  
また、複数のスリット２１ａの側面のそれぞれを含むそれぞれの平面内に放射線源の焦点が存在するようにする。
【００５２】
すなわち、放射線源の焦点を中心とした円弧上に、複数の遮蔽板１１ａおよび複数の遮蔽板１２ａが放射状に並ぶようにする。  
また、放射線源の焦点を中心とした円弧上であって、複数の遮蔽板１１ａおよび複数の遮蔽板１２ａの上方または下方に、複数のスリット２１ａが放射状に並ぶようにする。
【００５３】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５４】
１  遮蔽装置、２  照射部、２ａ  放射線、３  筐体、４  載置部、５  制御部、１０  第１の遮蔽部、１１ａ  遮蔽板、１１ｂ  移動部、１２ａ  遮蔽板、１２ｂ  移動部、２０  第２の遮蔽部、２１  遮蔽体、２１ａ  スリット、２２  移動部、３０  第２の遮蔽部、３１  遮蔽体、３１ａ  スリット、１００  照射装置、１０１  照射野、１０１ａ  照射野、１０１ｂ  照射野、３００  被検体、
【図１】
2015059889.tif 000003
【図２】
2015059889.tif 000004
【図３】
2015059889.tif 000005
【図４】
2015059889.tif 000006
【図５】
2015059889.tif 000007
【図６】
2015059889.tif 000008